(57)【要約】  透明で体積が小さく、視野角が広いめがね型ディスプレイに係り、偏光軸の回転程度に対応する収斂屈折率を有する異方性凸レンズを使用し、凹状鏡によって反射されて結ばれる映像と目との距離を調節することができることを特徴とする。【選択図】図２
2020522737.tif 000002
【特許請求の範囲】
【請求項１】
めがね型ディスプレイにおいて、
眼前に位置し、視線方向だけに光を放出する準透明ディスプレイと、
前記準透明ディスプレイから放出された光のうち第１偏光だけ視線方向に通過させる第１偏光フィルタと、
前記第１偏光フィルタを通過した第１偏光の偏光軸を回転させる偏光軸回転第１手段と、
前記偏光軸回転第１手段によって偏光軸が回転された偏光を、偏光軸の回転程度に対応する屈折率で収斂屈折させる異方性凸レンズと、
前記異方性凸レンズを通過した光を、さらに前記異方性凸レンズ側に反射させる反射手段と、
を含むことを特徴とする、鏡を利用した透明なめがね型ディスプレイ。
【請求項２】
前記準透明ディスプレイの各ピクセルは、三原色のうち１色の光を放出し、前記ピクセルの目側面には、前記三原色のうち１色の光を反射手段側に反射させる二色性反射コーティング、または前記三原色のうち１色の光を吸収するカラー吸収コーティングを含むことを特徴とする、請求項１に記載の鏡を利用した透明なめがね型ディスプレイ。
【請求項３】
前記ディスプレイの反射手段は、目に向かう側が、凹状半鏡、または偏平な半鏡であることを特徴とする、請求項１に記載の鏡を利用した透明なめがね型ディスプレイ。
【請求項４】
前記めがね型ディスプレイは、前記凹状半鏡、または偏平な鏡の視線方向側に、凹レンズを含むことを特徴とする、請求項３に記載の鏡を利用した透明なめがね型ディスプレイ。
【請求項５】
前記めがね型ディスプレイは、
前記凹レンズの視線方向側に、第１偏光または第２偏光ほど目側に通過させる第２偏光フィルタと、
前記第２偏光フィルタを通過した偏光の偏光軸を回転させる偏光軸回転第２手段と、
を含むことを特徴とする、請求項４に記載の鏡を利用した透明なめがね型ディスプレイ。
【請求項６】
前記めがね型ディスプレイは、
前記準透明ディスプレイの各ピクセルの目側面には、各ピクセルごと、または多数の隣接したピクセルごとに、光を通過または遮断させることができるシャッタ手段を含むことを特徴とする、請求項１に記載の鏡を利用した透明なめがね型ディスプレイ。
【請求項７】
前記シャッタ手段は、液晶シャッタまたはメムスシャッタであることを特徴とする、請求項６に記載の鏡を利用した透明なめがね型ディスプレイ。
【請求項８】
めがね型ディスプレイにおいて、
眼前に位置し、視線方向だけに光を放出する準透明ディスプレイと、
前記準透明ディスプレイから視線方向に放出された光を、目側に反射させる光学モジュールと、
を含むが、
前記準透明ディスプレイの各ピクセルは、三原色のうち１色の光を放出し、前記ピクセルの目側面には、前記三原色のうち１色の光を光学モジュール側に反射させる二色性反射コーティング、または前記三原色のうち１色の光を吸収するカラー吸収コーティングを含むことを特徴とする、鏡を利用した透明なめがね型ディスプレイ。
【請求項９】
前記光学モジュールは、半鏡を含み、
半鏡の目に向かう側には、凸レンズが含まれ、
半鏡の視線方向側には、凹レンズが含まれることを特徴とする、請求項８に記載の鏡を利用した透明なめがね型ディスプレイ。
【請求項１０】
めがね型ディスプレイにおいて、
眼前に位置し、視線方向だけに光を放出する準透明ディスプレイと、
前記準透明ディスプレイから視線方向に放出された光を目側に反射させる光学モジュールと、
を含むが、
前記準透明ディスプレイの各ピクセルの目側面には、各ピクセルごと、または多数の隣接したピクセルごとに、光を通過または遮断させることができるシャッタ手段を含むことを特徴とする、鏡を利用した透明なめがね型ディスプレイ。
【請求項１１】
前記光学モジュールは、半鏡を含み、
半鏡の目に向かう側には、凸レンズが含まれ、
半鏡の視線方向には、凹レンズが含まれることを特徴とする、請求項１０に記載の鏡を利用した透明なめがね型ディスプレイ。
【請求項１２】
前記シャッタ手段は、液晶シャッタまたはメムスシャッタであることを特徴とする、請求項１０に記載の鏡を利用した透明なめがね型ディスプレイ。
【請求項１３】
めがね型ディスプレイにおいて、
眼前の偏光の種類により、屈折率が異なる異方性凸レンズと、
前記凸レンズ側に光を放出するディスプレイと、
前記ディスプレイから放出された光の第１偏光だけ目側に通過させる偏光フィルタと、
前記偏光フィルタを通過した偏光の偏光軸を回転させる偏光軸回転手段と、
を含むことを特徴とする、可変焦点めがね型ディスプレイ。
【請求項１４】
前記偏光軸回転手段は、多数領域に分けられ、各領域に印加されたそれぞれの電気信号により、各領域ごとに異なる程度に偏光軸を回転させることを特徴とする、請求項１３に記載の可変焦点めがね型ディスプレイ。
【請求項１５】
前記めがね型ディスプレイは、異方性凸レンズの第２偏光に係わる屈折率と同一屈折率の物質からなる凹レンズが、異方性凸レンズの前面または裏面、あるいは前裏面に含まれていることを特徴とする、請求項１３に記載の可変焦点めがね型ディスプレイ。
【請求項１６】
前記可変焦点めがね型ディスプレイは、
前記ディスプレイの視線方向側面には、光を遮断させたり通過させたりすることができるシャッタ手段を含むことを特徴とする、請求項１５に記載の可変焦点めがね型ディスプレイ。
【発明の詳細な説明】
【技術分野】
【０００１】
本発明は、視野角が広い透明なめがね型ディスプレイに関する。
【背景技術】
【０００２】
本発明は、仮想現実または拡張現実の映像を出力することができる透明なめがね型ディスプレイに関する技術である。
【０００３】
現在、オキュラスリフトのような仮想現実用めがね型ディスプレイが発売開始されている。
【０００４】
そのようなめがね型ディスプレイは、視野角が広い代わりに、装置の体積が大きく、不透明であるという短所がある。それとは別に、マイクロソフト社から、ホロレンズという透明なめがね型ディスプレイを販売を開始したが、視野角が狭いという問題がある。
【０００５】
前述の技術の狭い視野角問題を解決するための技術として、米国特許出願番号ＵＳ１４／７４９，５６８（Ｈｅａｄ  Ｍｏｕｎｔｅｄ  Ａｕｇｍｅｎｔｅｄ  Ｒｅａｌｉｔｙ  Ｄｉｓｐｌａｙ）がある。前記米国特許出願技術は、図１のように、準透明（ｓｅｍｉ  ｔｒａｎｓｐａｒｅｎｔ）ディスプレイＤＳから放射された光が、凹状半鏡（ｈａｌｆ  ｍｉｒｒｏｒ）ＣＭで反射されたところを目で見ることができるディスプレイ技術である。準透明ディスプレイＤＳは、目の方には、光を放出せず、凹状半鏡側（視線方向側）だけに光を放出する透明ディスプレイである。
【発明の概要】
【発明が解決しようとする課題】
【０００６】
そのような技術は、凹状半鏡の曲率半径が固定されており、凹状半鏡によって反射されて結ばれる映像の像と目との距離が固定される。そのように、映像と目との距離が固定されれば、両目の収斂角度と、目の焦点距離とが一致せず（それを、ｖｅｒｇｅｎｃｅ−ａｃｃｏｍｍｏｄａｔｉｏｎ  ｃｏｎｆｌｉｃｔという）、目に疲れを誘発する問題（それを、本発明においては、問題１とする）がある。
【０００７】
本発明は、前記米国特許技術の凹状鏡によって反射されて結ばれた映像と、目との距離を調節することができるめがね型ディスプレイを提供し、問題１を解決することを目的とする。
【０００８】
また、前記米国特許は、目の方に光を直接放射させないようにするために、ディスプレイに円偏光光源を使用したり、不透明なディスプレイのピクセル間距離を広げ、その間に、目で凹状鏡を見ることができる微細な多数の孔を形成したりしている。しかし、円偏光光源ディスプレイは、求め難く、微細な孔を形成すれば、ピクセルの密度が低くなり、映像の解像度が低くなるという問題がある（それを、本発明においては、問題２とする）。
【０００９】
本発明は、前記米国特許技術の準透明ディスプレイの解像度を高める技術を提供し、問題２を解決することを目的とする。
【課題を解決するための手段】
【００１０】
本発明は、前述の問題１を解決するために、凹状半鏡の凹状面（目側）に凸レンズを追加し、凹状半鏡の凸状面（視線方向）に凹レンズを追加するものの、前記凸レンズと凹レンズとを重ねて見れば、まさしく透明なガラスを介して見るように、レンズ効果がなくなるように、２つのレンズの焦点距離は、同じであり、符号が反対であり、２つのレンズは、偏光の種類により、屈折率が異なる異方性レンズであることを特徴とする。
【００１１】
そして、準透明ディスプレイと前記凸レンズとの間には、偏光フィルムと偏光軸とを回転させることができる偏光軸回転手段が追加され、準透明ディスプレイから凹状鏡側に放出された光のうち、特定偏光だけ、前記偏光フィルムを通過した後、前記偏光軸回転手段を通過しながら偏光軸が回転し、凸レンズを通過する。このとき、通過する光の偏光軸の回転程度に対して、凸レンズの収斂屈折率が異なるので、偏光軸を回転させる程度を電気的に調節すれば、凸レンズの収斂程度を調節することができ、凸レンズと凹状鏡とを通過して結ばれる映像と目との距離を調節することができる。
【００１２】
また、本発明は、前述の問題２を解決するために、透明ディスプレイの目に向かう側には、その面から目側に向けて放射される光を凹状鏡側に反射させることができる二色性カラーフィルタ、液晶シャッタまたはメムス（ｍｅｍｓ）シャッタを含む準透明ディスプレイを提供することを特徴とする。該二色性カラーフィルタは、特定色を反射させ、それ以外の色は、通過させるフィルタを意味する。
【発明の効果】
【００１３】
本発明による、鏡を利用した透明なめがね型ディスプレイは、透明であるので、拡張現実映像を出力すれば、周辺環境と拡張現実映像とを重ねて見ることができる。また、凹状半透明鏡外側に、液晶シャッタを追加し、シャッタを閉じれば、周辺を見ることができず、既存の仮想現実用めがね型ディスプレイとしても使用することができる。
【００１４】
また、凹状鏡内側の凹状面に凸レンズを追加することにより、透明ディスプレイと凹状鏡との距離を短縮させ、凹状鏡の曲率半径を小さくし、装置の体積を減らすことができる。
【図面の簡単な説明】
【００１５】
【図１】従来技術の構成図である。
【図２】本発明の構成図である。
【図３】既存の透明なめがね型ディスプレイ構成図である。
【図４】異方性レンズの偏光に係わる屈折性質を示した図面である。
【図５】シャッタ配列の平面図である。
【図６】偏光フィルムと偏光軸回転手段との詳細図である。
【図７】偏光フィルムと偏光軸回転手段との詳細図である。
【図８】可変焦点レンズを含む仮想現実用頭着用ディスプレイ構成図である。
【図９】図８の装置に、インデックスマッチング凹レンズを追加した構成図である。
【発明を実施するための形態】
【００１６】
実施形態１
本実施形態は、米国特許出願番号ＵＳ１４／７４９，５６８（Ｈｅａｄ  Ｍｏｕｎｔｅｄ  Ａｕｇｍｅｎｔｅｄ  Ｒｅａｌｉｔｙ  Ｄｉｓｐｌａｙ）の凹状鏡の曲率半径が固定されており、両目の収斂角度と、目の焦点距離とが一致せず（それを、ｖｅｒｇｅｎｃｅ−ａｃｃｏｍｍｏｄａｔｉｏｎ  ｃｏｎｆｌｉｃｔという）、目に疲れを誘発する問題（それを、本発明では、問題１とする）を解決することを目的とする。前記米国特許出願技術は、図１のように、準透明（ｓｅｍｉ  ｔｒａｎｓｐａｒｅｎｔ）ディスプレイＤＳから放射された光が、凹状半鏡（ｈａｌｆ  ｍｉｒｒｏｒ）ＣＭで反射されたところを目で見ることができるディスプレイ技術である。該準透明ディスプレイは、目側には、光を放出せず、凹状半鏡側だけに光を放出するディスプレイである。
【００１７】
前述の米国特許技術は、凹状半鏡の曲率半径が固定されており、凹状半鏡によって反射されて結ばれる映像の像と、目との距離が固定され、両目の収斂角度と、目の焦点距離とが一致せず（それを、ｖｅｒｇｅｎｃｅ−ａｃｃｏｍｍｏｄａｔｉｏｎ  ｃｏｎｆｌｉｃｔという）、目に疲れを誘発する問題がある。半鏡は、光の一部は、反射させ、一部は、通過させる鏡を意味する。
【００１８】
本発明は、前記米国特許技術の、凹状鏡によって反射されて結ばれた映像と、目との距離を調節することができるめがね型ディスプレイを提供することを目的とする。
【００１９】
本発明は、前述の問題を解決するために、図２のように、凹状半鏡ＭＲ、または鏡の凹状面（目側）に凸レンズＣＸを追加し、凹状半鏡の凸状面（視線方向）に、凹レンズＣＣを追加するものの、前述の凸レンズと凹レンズとを重ねて見れば、まさしく透明なガラスを介して見るように、レンズ効果がなくなるように、２つのレンズの焦点距離は、同じであり、符号が反対であり、２つのレンズは、偏光の種類により、屈折率が異なる異方性レンズであることを特徴とする。または、凸レンズだけ異方性レンズであり、凹レンズは、一般レンズでもよい。そして、凹状鏡の代わりに、偏平な鏡を使用してもよい。
【００２０】
該異方性レンズは、例えば、ガラス板のような偏平な方解石板を、図２の、凸レンズと凹レンズとの形態に加工して構成することができる。そのようなレンズは、重さを軽くするために、フレネルレンズ形態によっても構成される。また、方解石の代わりに、特定方向に整列された液晶または異方性物質を、レンズ形態に加工して構成することもできる。
【００２１】
異方性レンズを利用しためがね型ディスプレイに係わる技術は、次の論文に開示されている。
【００２２】
参考文献１：
Ｓｅｅ−ｔｈｒｏｕｇｈ  Ｏｐｔｉｃａｌ  Ｃｏｍｂｉｎｅｒ  ｆｏｒ  Ａｕｇｍｅｎｔｅｄ  Ｒｅａｌｉｔｙ  Ｈｅａｄ−Ｍｏｕｎｔｅｄ  Ｄｉｓｐｌａｙ：  Ｉｎｄｅｘ−Ｍａｔｃｈｅｄ  Ａｎｉｓｏｔｒｏｐｉｃ  Ｃｒｙｓｔａｌ  Ｌｅｎｓ
（Ｓｃｉｅｎｔｉｆｉｃ  Ｒｅｐｏｒｔｓ  ｜  ７：  ２７５３  ｜  ＤＯＩ：  １０．１０３８／ｓ４１５９８−０１７−０３１１７−ｗ）
図３は、前記論文から抜粋したものであり、目の前の方解石レンズとインデックスマッチング物質からなる光学モジュールＩＭＡＣＬに、２種の互いに異なる偏光が通過する場合、１偏光は、収斂屈折するが、他の偏光は、屈折せず、まさしく偏平なガラス板を通過するように通過するところを示したものである。
【００２３】
ここで、前記２種の互いに異なる偏光は、垂直偏光及び水平偏光でもある。本発明においては、そのような２種の線偏光を、第１偏光及び第２偏光と言う。
【００２４】
方解石は、２種の第１偏光、第２偏光に対し、互いに異なる屈折率を有した物質である。そのうち、１つの屈折率（例えば、第２偏光が感じる屈折率）と同一物質を、第２偏光の屈折率にインデックスマッチングされた物質と言い、方解石凸レンズ表裏面に、図３のように、そのようなインデックスマッチング物質を充填し、偏平なガラス板のような光学モジュールＩＭＡＣＬに加工すれば、第１偏光は、そのような光学モジュールＩＭＡＣＬを通過すれば、収斂屈折するが、第２偏光は、ガラス板を通過するように、屈折せずにそのまま通過する。
【００２５】
液晶を利用し、異方性レンズを作製する技術は、次の論文に掲示されている。
【００２６】
参考文献２：
Ｐｏｌａｒｉｚａｔｉｏｎ−Ｄｅｐｅｎｄｅｎｔ  Ｍｉｃｒｏｌｅｎｓ  Ａｒｒａｙ  Ｕｓｉｎｇ  Ｒｅａｃｔｉｖｅ  Ｍｅｓｏｇｅｎ  Ａｌｉｇｎｅｄ  ｂｙ  Ｔｏｐ−Ｄｏｗｎ  Ｎａｎｏｇｒｏｏｖｅｓ  ｆｏｒ  Ｓｗｉｔｃｈａｂｌｅ  Ｔｈｒｅｅ−Ｄｉｍｅｎｓｉｏｎａｌ  Ａｐｐｌｉｃａｔｉｏｎｓ
（Ｊｏｕｒｎａｌ  ｏｆ  ｔｈｅ  Ｏｐｔｉｃａｌ  Ｓｏｃｉｅｔｙ  ｏｆ  Ｋｏｒｅａ  Ｖｏｌ．  １９，  Ｎｏ．  ３，  Ｊｕｎｅ  ２０１５，  ｐｐ．  ２６５−２７１，
ＩＳＳＮ：  １２２６−４７７６（Ｐｒｉｎｔ）  ／  ＩＳＳＮ：  ２０９３−６８８５（Ｏｎｌｉｎｅ）
ＤＯＩ：  ｈｔｔｐ：／／ｄｘ．ｄｏｉ．ｏｒｇ／１０．３８０７／ＪＯＳＫ．２０１５．１９．３．２６５）
【００２７】
図４は、前記論文から抜粋したものである。図４には、水平方向に整列された液晶凸レンズとインデックスマッチングされた物質からなる凹レンズが、偏平な板状に重なった光学モジュールに、互いに異なる偏光が通過すれば、１偏光は、収斂し、他偏光は、ガラス板のように屈折することなしに通過するところを示したものである。
【００２８】
図２において、準透明ディスプレイＯＬと前記凸レンズＣＸとの間には、第１線偏光フィルムＰＯと、線偏光軸を回転させることができる偏光軸回転第１手段ＲＯとが追加され、準透明ディスプレイから凹状鏡ＭＲ側に放出された光のうち、特定偏光（例えば、第１偏光）だけ前記偏光フィルムを通過した後、前記偏光軸回転手段を通過しながら偏光軸が回転し、凸レンズを通過する。このとき、通過する光の偏光軸の回転程度により、異方性物質から構成された凸レンズＣＸの収斂屈折率が異なるので、偏光軸を回転させる程度を電気的に調節すれば、凸レンズの収斂程度を調節することができ、凸レンズと凹状鏡とを通過して結ばれる準透明ディスプレイの映像と目との距離を調節することができる。
【００２９】
偏光軸回転第１手段ＲＯは、液晶ディスプレイから、カラーフィルタと偏光板とを除去するか、あるいはシャッタめがね式３Ｄディスプレイを見るときに着用するシャッタめがねレンズから、レンズ両側面に付着した偏光フィルムを除去しても構成される。
【００３０】
シャッタめがねレンズは、透明な２枚の板の間に、よじれたネマチック液晶（ｔｗｉｓｔｅｄ  ｎｅｍａｔｉｃ  ｌｉｑｕｉｄ  ｃｒｙｓｔａｌ）が充填されており、２枚の板内側面には、互いに垂直方向に配向膜が形成されており、透明電極がコーティングされている。該透明電極に電気信号を印加しなければ、そのようなシャッタめがねレンズを通過する偏光の偏光軸は、ねじれた液晶により、９０°回転し、該透明電極に電気信号を印加すれば、通過する偏光の偏光軸は、変化がない。
【００３１】
印加する電圧を連続して変化させれば、偏光軸の回転角度を連続して調節することができる。そのようなシャッタめがねレンズに印加する電圧を調節すれば、偏光軸の回転程度を調節することができる。
【００３２】
そのように、第１偏光フィルム、偏光軸回転第１手段及び異方性レンズを使用し、焦点距離を変化させることができる可変焦点レンズを構成することができ、そのような可変焦点レンズを、準透明ディスプレイＯＬと半透明凹状鏡ＭＲとの間に設け、準透明ディスプレイＯＬに出力された事物映像が遠くにあるように見えるようにすることもでき、近くにあるように見えるようにすることもできる。
【００３３】
また、異方性凸レンズと同一材質、またはインデックスマッチング物質で、凹レンズＣＣを構成し、凹状鏡外の視線方向側に、図２のように設ければ、外部事物を、まさしく透明なガラス窓を介して見るように見ることができるので、本発明の装置を使用すれば、拡張現実映像を出力することができる。
【００３４】
その場合、凹レンズ外側には、図２のように、特定偏光（第１偏光または第２偏光）だけ目側に通過させる第２偏光フィルタＰＯ２と、偏光軸回転第２手段ＲＯ２とをさらに含むのが望ましい。その理由は、外部事物で反射され、本発明のめがね型ディスプレイ装置に入射される光ＥＬには、第１偏光と第２偏光とが混同しており、該２偏光が同時に異方性凸レンズＣＸを通過すれば、２偏光が異なるように屈折され、映像が二重に分離されたように見えてしまうからである。
【００３５】
偏光軸回転第２手段ＲＯ２が必要な理由は、次の通りである。もし偏光軸回転第２手段ＲＯ２がなければ、外部から入射される光ＥＬのうち、第２偏光フィルタＰＯ２を通過した特定偏光は、偏光軸回転第１手段ＲＯを通過しながら、偏光軸が回転することになるが、偏光軸回転第１手段ＲＯに印加される電圧により、回転角度が随時変わることになる。それにより、第１偏光フィルムＰＯを通過する光の量が随時変わることになるので、外部事物の明るさが一定ではないという問題が生じる。そのような問題は、偏光軸回転第２手段ＲＯ２を追加し、適切な電圧を印加し、偏光軸回転第１手段ＲＯが回転させる角度の反対方向の角度に、あらかじめ偏光軸を回転させればよい。すなわち、外部から入射される光ＥＬが第１偏光フィルムＰＯを常時最大限通過するように、偏光軸回転第２手段に適切な電圧を印加することが望ましい。
【００３６】
図６は、そのような動作原理を詳細に示したものである。図６において、２偏光フィルムＰＯ，ＰＯ２は、いずれも垂直偏光だけ通過させる偏光フィルムであり、偏光軸回転第１手段ＲＯは、透明ディスプレイＯＬから、第１偏光フィルムＰＯを通過して入射する垂直偏光の偏光軸を、反時計回り方向に、角度（ＡＮ）ほど回転させる。外部から入射される光ＥＬのうち、第２偏光フィルムＰＯ２を通過した垂直偏光は、偏光軸回転第２手段ＲＯ２を通過しながら、時計回り方向に、前記角度（ＡＮ）ほど回転する（ここで、時計回り方向と反時計回り方向は、光源から光が進む方向に向けて見たときの回転方向である）。それにより、該光は、偏光軸回転第１手段ＲＯを通過すれば、垂直偏光になり、第１偏光フィルムＰＯを通過し、目に逹することができる。すなわち、図６のような構成の装置であるならば、偏光軸回転第１手段と偏光軸回転第２手段は、通過する垂直偏光を、角度サイズは、同じであり、方向だけ異なるように回転させれば、外部光ＥＬが、最大限第１偏光フィルムを通過して目に逹するので、外部事物が最大限明るく見える。
【００３７】
そのような第１偏光または第２偏光は、凹レンズ、凹面鏡、凸レンズを、まさしく透明なガラス板を通過するように、屈折することなしに通過して目に逹するので、本装置を着用すれば、外部事物を見ることができると同時に、透明ディスプレイの映像も見ることができる。
【００３８】
図７のように、もし第２偏光フィルムが水平偏光だけ通過させるフィルムであるならば、偏光軸回転第２手段ＲＯ２は、入射される水平偏光の偏光軸を角度（９０−ＡＮ）ほど反時計回り方向に回転させればよい。
【００３９】
また、異方性凸レンズがいくら厚いとしても、電気信号を印加する偏光軸回転手段ＲＯ，ＲＯ１は、非常に薄く構成することができるので、低電圧で高速で偏光軸回転手段を駆動することができる。
【００４０】
そのような偏光軸回転手段で偏光軸を回転させ、近い物体の映像と、遠い物体の映像とを交互に迅速に出力することができる。
【００４１】
実施形態２
本実施形態は、前記米国特許出願番号ＵＳ１４／７４９、５６８（Ｈｅａｄ  Ｍｏｕｎｔｅｄ  Ａｕｇｍｅｎｔｅｄ  Ｒｅａｌｉｔｙ  Ｄｉｓｐｌａｙ）ディスプレイの解像度が低いという問題（問題２）を、次のように解決することを目的とする。
【００４２】
前記実施形態１の偏光フィルムＰＯ，ＰＯ２は、特定偏光だけ通過させる役割を行うが、吸収型偏光フィルムを使用することもでき、反射型偏光フィルムを使用することもできる。該反射型偏光フィルムは、特定偏光は、通過させ、それ以外の他の偏光は、反射させるフィルムであり、微細金属線（ｗｉｒｅ  ｇｒｉｄ）を整列させて作ることができる。そのような反射型偏光フィルムを、図２の第１偏光フィルムＰＯに利用するならば、準透明ディスプレイは、例えば、透明ＯＬＥＤでもあり、その各ピクセルの、眼球に向かう側には、そのピクセルが放出する光の色の光を反射させる二色性反射コーティングＲＣを施すことが望ましい。その場合、透明ＯＬＥＤの各ピクセルは、例えば、三原色のうち１色の光を放出するように構成する。そのように、目側面に、二色性反射コーティングを施せば、透明ＯＬＥＤのピクセルから目側に放出された光が、二色性コーティングによって凹状鏡側に反射するので、眩しさがない（眩しさを除去するために、透明ディスプレイのピクセルから目側に放出する光の色を吸収する吸収カラーコーティングを、透明ディスプレイの目側面に形成することもできる）。
【００４３】
図２において、透明ディスプレイＯＬには、３種類の光源を含むピクセルと、二色性カラー反射フィルタまたはカラー吸収フィルタとが表示されている。
【００４４】
例えば、ＰＲは、赤色光源を含むピクセルであり、ＰＧは、緑色光源を含むピクセルであり、ＰＢは、青色光源を含むピクセルである。
【００４５】
そして、ＲＲは、赤色を反射または吸収するフィルタであり、ＲＧは、緑色を反射または吸収するフィルタであり、ＲＢは、青色を反射または吸収するフィルタである。
【００４６】
その場合、ＲＲは、赤色以外の光は、通過させるフィルタであり、ＲＧは、緑色以外の光は、通過させるフィルタであり、ＲＢは、青色以外の光は、通過させるフィルタである。
【００４７】
その場合、図２の偏光フィルムＰＯが反射型偏光フィルムであるならば、吸収型偏光フィルムより損失される光が減り、エネルギー効率が高くなる。すなわち、電力消費量が減り、めがね型ディスプレイを駆動するバッテリ使用時間が長くなる。
【００４８】
そのような反射型または吸収型のカラーフィルタは、外部から入射される光ＥＬ（図２）の一部を遮断し、視野を暗くしてしまう短所がある。視野を明るくするためには、液晶シャッタまたはメムス（ｍｅｍｓ）シャッタを、透明ディスプレイの各ピクセルの目に向かう面に形成し、シャッタを閉じ、透明ディスプレイのピクセルから目に向かう光を遮断することもできる。
【００４９】
メムスシャッタに係わる技術は、次の論文に掲示されている。
【００５０】
参考文献３：
透明ＯＬＥＤディスプレイのための広帯域反射マイクロシャッタブラインドパネル
（第１８回韓国ＭＥＭＳ学術大会論文集４月７日−９日の論文）
その場合、各シャッタを、いずれも同時に閉じれば、透明ディスプレイから凹状鏡側に放出された光ＤＬが凹状鏡ＲＭによって反射された後、目に向かうとき、いずれも遮られるので、透明ディスプレイのピクセルを、２個または多数のグループに分け、グループ別に順次に光を放出し、光を放出するピクセルに接するシャッタだけ閉じるようにすることが望ましい。例えば、図５のように、透明ディスプレイの偶数番目ピクセルを第１グループＧ１に分けることができ、奇数番目ピクセルを第２グループＧ２に分けることができる。
【００５１】
その場合、第１グループのピクセルに映像を出力し、光を放出させ、それに併行し、第１グループに属するピクセルに接する（すなわち、第１グループに属するピクセルと、目との間に存在）液晶シャッタまたはメムスシャッタを閉じ、第２グループに属するピクセルに接する（すなわち、第２グループに属するピクセルと目との間に存在）液晶シャッタまたはメムスシャッタを開く。
【００５２】
次の瞬間には、それと反対に、第２グループのピクセルに映像を出力し、光を放出させ、それに併行し、第２グループに属するピクセルに接する液晶シャッタまたはメムスシャッタを閉じ、第１グループに属するピクセルに接する液晶シャッタまたはメムスシャッタを開く。そのような過程を迅速に反復する。図５は、透明ディスプレイＯＬの第１グループＧ１のシャッタは、閉じ、第２グループＧ２のシャッタは、開いたところを示したものである。液晶シャッタは、例えば、シャッタめがね式３Ｄディスプレイを見るときに着用するシャッタめがねのレンズのような構造にも構成される。また、メムスシャッタは、電気信号によって開いたり閉じたりする微細な板により、光を通過または遮断させるシャッタを意味する。
【００５３】
そのような液晶シャッタやメムスシャッタは、それぞれのピクセルごとに構成されもし、隣接する多数（例えば、互いに隣接した２行２列のピクセル）のピクセルごとにも構成される。例えば、２行２列ピクセルごとにシャッタを構成すれば、そのシャッタを開けたり閉じたりするば、２行２列を構成する４個のピクセル領域を通過する光を同時に遮断させたり通過させたりすることができる。そのように、ピクセルと目との間に、カラーフィルタ、液晶シャッタまたはメムスシャッタを設ければ、ピクセル間の間隔を狭めることができ、映像の解像度を高めることができる。
【００５４】
実施形態３
本実施形態は、前記実施形態１の可変焦点レンズ技術を、オキュラスｃｖ１のような仮想現実用頭着用ディスプレイ（ｈｅａｄ  ｍｏｕｎｔ  ｄｉｓｐｌａｙ）に適用したところに係わるものである。現在の仮想現実用頭着用ディスプレイの眼前の凸レンズは、焦点距離が固定されており、両目の収斂角度と、目の焦点距離とが不一致である（それを、ｖｅｒｇｅｎｃｅ−ａｃｃｏｍｍｏｄａｔｉｏｎ  ｃｏｎｆｌｉｃｔと言う）問題があるが、本実施形態は、そのような問題を解決することを目的とする。
【００５５】
前記目的を達成するために、本実施形態は、図８のように、既存の仮想現実用頭着用ディスプレイの凸レンズを、偏光種類により、屈折率が異なる異方性物質の凸レンズＶＬＮで代替（または、既存レンズに、異方性物質の凸レンズを追加し、重ねて設ける）し、ＯＬＥＤのようなディスプレイＶＤＳの前には、特定偏光だけ目側に通過させる偏光フィルムＶＰＯと、前記偏光フィルムを通過した偏光の偏光軸を回転させる偏光軸回転手段ＶＲＯと、を含む。前記偏光フィルムは、光の損失を最小化させるために、反射型偏光フィルムにすることが望ましい。
【００５６】
偏光軸回転手段ＶＲＯに印加する電圧を変化させれば、偏光軸回転手段ＶＲＯを通過する偏光の偏光軸を、所望するほど回転させることができ、そのような偏光は、異方性物質の凸レンズＶＬＮを通過しながら、その偏光軸回転程度に対応するほど収斂屈折して目に逹する。そのような偏光軸回転手段ＶＲＯに印加する電圧を、偏光軸回転手段ＶＲＯ全体に同一に印加することもでき、偏光軸回転手段ＶＲＯを、微細な多数の領域（例えば、ディスプレイのピクセルに対応する領域）に分け、各領域ごとに異なる電圧を印加することもできる。例えば、ディスプレイから遠くにある事物と、近くにある事物とを同時に出力するならば、遠くにある事物に重なった偏光軸回転手段ＶＲＯの領域に印加する電圧と、近くにある事物に重なった偏光軸回転手段ＶＲＯの領域に印加する電圧とを異ならせることにより、２つの領域から放出された光が、レンズＶＬＮにおいて、互いに異なるほど収斂屈折するようにし、２つの物体の映像と、目との距離が異なるようにする。
【００５７】
そのようなディスプレイＶＤＳを、透明ＯＬＥＤのような透明ディスプレイにし、透明ディスプレイに映像を出力しなければ、外部の光が目に逹することができる。しかし、外部の光が異方性物質の凸レンズＶＬＮによって収斂屈折され、外部映像が網膜に焦点を結ぶことができない問題がある。
【００５８】
外部物体を鮮明に見るならば、異方性物質の凸レンズＶＬＮの前面または裏面、あるいは両面に、図３と類似するか、あるいは図９のように、屈折率マッチング物質からなる凹レンズＶＣＣを付着させればよい。ここで、屈折率マッチングされた物質は、異方性凸レンズの第１偏光に係わる第１屈折率と、第２偏光に係わる第２屈折率とのうち１つの屈折率と同一屈折率の物質を意味する。そのように、屈折率マッチング物質からなる凹レンズＶＣＣを付着させた異方性物質の凸レンズＶＬＮを介して、第１偏光が通過すれば、収斂屈折するが、第２偏光は、まさしく透明なガラス板のように屈折されることなしに通過することができる。すなわち、透明ディスプレイに映像を出力するときは、偏光軸回転手段ＶＲＯに第１電気信号を印加し、偏光軸を回転させ、第１偏光が目に逹するようにすれば、目は、ディスプレイ映像を見ることができる。そして、偏光軸回転手段ＶＲＯに第２電気信号を印加し、偏光軸を回転させ、第２偏光が目に逹するようにすれば、目は、外部事物の映像を見ることができる。
【００５９】
そのように、ディスプレイに映像を出力する状態と、出力していない状態とを交互に迅速に反復すれば、外部事物とディスプレイ映像とを重ねて見ることができる。ディスプレイに映像を鮮明に表示させるために、ディスプレイ外側には、シャッタ手段ＶＳＴ（例えば、液晶シャッタ）を追加し、ディスプレイに映像を出力する間には、シャッタを閉じ、外部光が目に逹することができないようにすることが望ましい。
【図１】
2020522737.tif 000003
【図２】
2020522737.tif 000004
【図３】
2020522737.tif 000005
【図４】
2020522737.tif 000006
【図５】
2020522737.tif 000007
【図６】
2020522737.tif 000008
【図７】
2020522737.tif 000009
【図８】
2020522737.tif 000010
【図９】
2020522737.tif 000011
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
めがね型ディスプレイにおいて、
眼前に位置し、視線方向に光を放出する準透明ディスプレイと、
前記準透明ディスプレイから放出された光のうち第１偏光だけ選択的に通過させる第１偏光フィルタと、
前記第１偏光フィルタを通過した第１偏光の偏光軸を回転させる偏光軸回転第１手段と、
前記偏光軸回転第１手段によって偏光軸が回転された偏光を、前記偏光軸の回転程度に対応する屈折率で収斂屈折させる異方性凸レンズと、
前記異方性凸レンズを通過した光を、さらに前記異方性凸レンズ側に反射させる反射手段と、
を含むことを特徴とする、めがね型ディスプレイ。
【請求項２】
前記準透明ディスプレイの各ピクセルは、三原色のうち１色の光を放出し、前記ピクセルの目側面には、前記三原色のうち１色の光を反射手段側に反射させる二色性反射コーティング、または前記三原色のうち１色の光を吸収するカラー吸収コーティングを含むことを特徴とする、請求項１に記載のめがね型ディスプレイ。
【請求項３】
前記ディスプレイの反射手段は、目に向かう側が、凹状半鏡、または偏平な半鏡であることを特徴とする、請求項１に記載のめがね型ディスプレイ。
【請求項４】
前記めがね型ディスプレイは、前記凹状半鏡、または偏平な鏡の視線方向側に、凹レンズを含むことを特徴とする、請求項３に記載のめがね型ディスプレイ。
【請求項５】
前記めがね型ディスプレイは、
前記凹レンズの視線方向側に、特定偏光だけ目側に通過させる第２偏光フィルタと、
前記第２偏光フィルタを通過した前記特定偏光の偏光軸を回転させる偏光軸回転第２手段と、
を含むことを特徴とする、請求項４に記載のめがね型ディスプレイ。
【請求項６】
前記めがね型ディスプレイは、
前記準透明ディスプレイの各ピクセルの目側面には、各ピクセルごと、または多数の隣接したピクセルごとに、光を通過または遮断させることができるシャッタ手段を含むことを特徴とする、請求項１に記載のめがね型ディスプレイ。
【請求項７】
前記シャッタ手段は、液晶シャッタまたはメムスシャッタであることを特徴とする、請求項６に記載のめがね型ディスプレイ。
【請求項８】
めがね型ディスプレイにおいて、
眼前に位置し、視線方向に光を放出する準透明ディスプレイと、
前記準透明ディスプレイから視線方向に放出された光を、目側に反射させる光学モジュールと、
を含むが、
前記準透明ディスプレイの各ピクセルは、三原色のうち１色の光を放出し、前記ピクセルの目側面には、前記三原色のうち１色の光を光学モジュール側に反射させる二色性反射コーティング、または前記三原色のうち１色の光を吸収するカラー吸収コーティングを含むことを特徴とする、めがね型ディスプレイ。
【請求項９】
前記光学モジュールは、
半鏡と、
前記半鏡の目に向かう側に配置される凸レンズと、
前記半鏡の視線方向側に配置される凹レンズと、
が含まれることを特徴とする、請求項８に記載のめがね型ディスプレイ。
【請求項１０】
めがね型ディスプレイにおいて、
眼前に位置し、視線方向に光を放出する準透明ディスプレイと、
前記準透明ディスプレイから視線方向に放出された光を目側に反射させる光学モジュールと、を含むが、
前記準透明ディスプレイの各ピクセルの目側面には、各ピクセルごと、または多数の隣接したピクセルごとに、光を通過または遮断させることができるシャッタ手段を含むことを特徴とする、めがね型ディスプレイ。
【請求項１１】
前記光学モジュールは、
半鏡と、
前記半鏡の目に向かう側に配置される凸レンズと、
前記半鏡の視線方向に配置される凹レンズと、
が含まれることを特徴とする、請求項１０に記載のめがね型ディスプレイ。
【請求項１２】
前記シャッタ手段は、液晶シャッタまたはメムスシャッタであることを特徴とする、請求項１０に記載のめがね型ディスプレイ。
【請求項１３】
めがね型ディスプレイにおいて、
眼前に配置され、偏光の種類により、屈折率が異なる異方性凸レンズと、
前記異方性凸レンズ側に光を放出するディスプレイと、
前記ディスプレイから放出された光の第１偏光だけ目側に通過させる偏光フィルタと、
前記偏光フィルタを通過した偏光の偏光軸を回転させる偏光軸回転手段と、
を含むことを特徴とする、めがね型ディスプレイ。
【請求項１４】
前記偏光軸回転手段は、多数領域に分けられ、各領域に印加されたそれぞれの電気信号により、各領域ごとに異なる程度に偏光軸を回転させることを特徴とする、請求項１３に記載のめがね型ディスプレイ。
【請求項１５】
前記めがね型ディスプレイは、異方性凸レンズの第２偏光に係わる屈折率と同一屈折率の物質からなる凹レンズが、異方性凸レンズの前面または裏面、あるいは前裏面に含まれれていることを特徴とする、請求項１３に記載のめがね型ディスプレイ。
【請求項１６】
前記めがね型ディスプレイは、
前記ディスプレイの視線方向側面には、光を遮断させたり通過させたりすることができるシャッタ手段を含むことを特徴とする、請求項１５に記載のめがね型ディスプレイ。
【国際調査報告】
2020522737.tif 000012
2020522737.tif 000013
2020522737.tif 000014
2020522737.tif 000015